【手続補正書】
【提出日】平成16年6月15日(2004.6.15)
【手続補正１】
【補正対象書類名】明細書
【補正対象項目名】発明の名称
【補正方法】変更
【補正の内容】
【発明の名称】画像形成装置、画像形成方法、コンピュータプログラム及び記憶媒体
【手続補正２】
【補正対象書類名】明細書
【補正対象項目名】特許請求の範囲
【補正方法】変更
【補正の内容】
【特許請求の範囲】
【請求項１】
画像データを可視像化して、当該可視像化した画像データを転写材上に形成する画像形成手段と、前記画像データが形成された転写材に対して製本処理を施すために、綴じ処理、折り処理、ソート処理の少なくとも１つを含む後処理を実行する後処理手段と、前記後処理手段により製本処理が施された転写材の束に対して断裁処理を行うトリマーとを備える画像形成装置において、
前記画像形成手段は、
前記トリマーによる断裁処理を実行するときに、該断裁処理が施される被処理部分を含む非画像形成領域と該非画像形成領域を除く有効画像形成領域とを転写材毎に設定し、この転写材の有効画像形成領域に前記画像データを形成する手段を有することを特徴とする画像形成装置。
【請求項２】
前記後処理手段の後処理に対する実行条件に応じて、前記非画像形成領域の設定が可能か否かを判定し、該判定結果に応じて、前記非画像形成領域の設定を行うか否かを決定する第一の判定手段を備えたことを特徴とする請求項１記載の画像形成装置。
【請求項３】
前記トリマーの断裁処理に対する実行条件に応じて、前記非画像形成領域の設定が可能か否かを判定し、該判定結果に応じて、前記断裁処理が施される被処理部分を非画像形成領域として設定する第二の判定手段を備えたことを特徴とする請求項２記載の画像形成装置。
【請求項４】
前記非画像形成領域を、前記画像データのサイズと前記転写材のサイズとに基づいて変更することを特徴とする請求項１乃至３のいずれか１項に記載の画像形成装置。
【請求項５】
画像を記録媒体上に形成する画像形成装置において、
画像が形成された記録媒体の束に対して中綴じ処理を施した後、前記中綴じ処理が施された前記記録媒体の束に対して断裁処理を行う後処理手段と、
前記後処理手段により前記中綴じ処理と前記断裁処理が実行される記録媒体上の画像形成領域の位置を各記録媒体毎に制御する制御手段とを備えたことを特徴とする画像形成装置。
【請求項６】
前記制御手段は、記録媒体の中綴じラインから前記画像形成領域までの位置を制御することを特徴とする請求項５記載の画像形成装置。
【請求項７】
前記制御手段は、記録媒体の中綴じラインに対して両サイドの面の夫々の画像形成領域の位置を制御することを特徴とする請求項５記載の画像形成装置。
【請求項８】
前記制御手段は、前記記録媒体のいずれに形成されるかに基づいて、各記録媒体の画像形成領域の位置を制御することを特徴とする請求項５記載の画像形成装置。
【請求項９】
前記制御手段は、形成される画像のレイアウトページに基づいて、各記録媒体の画像形成領域の位置を制御することを特徴とする請求項５記載の画像形成装置。
【請求項１０】
画像データを可視像化して、当該可視像化した画像データを転写材上に形成する画像形成工程と、前記画像データが形成された転写材に対して製本処理を施すために、綴じ処理、折り処理、ソート処理の少なくとも１つを含む後処理を実行する後処理工程と、前記後処理工程により製本処理が施された転写材の束に対して断裁処理を行うトリマーとを備える画像形成方法において、
前記画像形成工程は、
前記トリマーによる断裁処理を実行するときに、該断裁処理が施される被処理部分を含む非画像形成領域と該非画像形成領域を除く有効画像形成領域とを転写材毎に設定し、この転写材の有効画像形成領域に前記画像データを形成する工程を有することを特徴とする画像形成方法。
【請求項１１】
前記後処理工程の後処理に対する実行条件に応じて、前記非画像形成領域の設定が可能か否かを判定し、該判定結果に応じて、前記非画像形成領域の設定を行うか否かを決定する第一の判定工程を有することを特徴とする請求項１０記載の画像形成方法。
【請求項１２】
前記トリマーの断裁処理に対する実行条件に応じて、前記非画像形成領域の設定が可能か否かを判定し、該判定結果に応じて、前記断裁処理が施される被処理部分を非画像形成領域として設定する第二の判定工程を有することを特徴とする請求項１１記載の画像形成方法。
【請求項１３】
前記非画像形成領域を、前記画像データのサイズと前記転写材のサイズとに基づいて変更することを特徴とする請求項１０乃至１２のいずれか１項に記載の画像形成方法。
【請求項１４】
記録媒体上に形成するためのページ画像を生成する画像形成方法において、
画像が形成された記録媒体の束に対して中綴じ処理を施した後、前記中綴じ処理が施された前記記録媒体の束に対して断裁処理を行うべく指示する後処理指示工程と、
前記後処理指示工程により前記後処理手段により前記中綴じ処理と前記断裁処理が実行されるよう指示された場合に、各ページの画像に挿入する余白量を各ページ画像毎に制御する制御工程とを備えることを特徴とする画像形成方法。
【請求項１５】
前記制御工程は、記録媒体の中綴じラインから画像形成領域までの余白量を制御することを特徴とする請求項１４記載の画像形成方法。
【請求項１６】
前記制御工程は、記録媒体の中綴じラインに対して両サイドの面のそれぞれの余白量を制御することを特徴とする請求項１４記載の画像形成方法。
【請求項１７】
前記制御工程は、前記記録媒体の束のいずれに形成されるかに基づいて、各ページ画像の余白量を制御することを特徴とする請求項１４記載の画像形成方法。
【請求項１８】
前記制御工程は、形成される画像のレイアウトページに基づいて各ページ画像の余白量を制御することを特徴とする請求項１４記載の画像形成方法。
【請求項１９】
記録媒体上に形成するためのページ画像を生成するためのコンピュータプログラムにおいて、画像が形成された記録媒体の束に中綴じ処理を施した前記中綴じ処理が施された前記記録媒体の束に対して断裁処理を行うべく指示する後処理指示工程と、前記後処理指示工程により前記後処理手段により前記中綴じ処理と前記断裁処理が実行されるよう指示された場合に各ページ画像に挿入する余白量を各ページごとに制御する制御工程とを備えることを特徴とするコンピュータプログラム。
【請求項２０】
前記制御工程は、記録媒体の中綴じラインから画像形成領域までの余白量を制御することを特徴とする請求項１９記載のコンピュータプログラム。
【請求項２１】
前記制御工程は、記録媒体の中綴じラインに対して両サイドの面のそれぞれの余白量を制御することを特徴とする請求項１９記載のコンピュータプログラム。
【請求項２２】
前記制御工程は、前記記録媒体の束のいずれに形成されるかに基づいて、各ページ画像の余白量を制御することを特徴とする請求項１９記載のコンピュータプログラム。
【請求項２３】
前記制御工程は、形成される画像のレイアウトページに基づいて、各ページ画像の余白量を制御することを特徴とする請求項１９記載のコンピュータプログラム。
【請求項２４】
請求項１９記載のコンピュータプログラムを記憶したことを特徴とするコンピュータ読取り可能な記憶媒体。
【手続補正３】
【補正対象書類名】明細書
【補正対象項目名】０００５
【補正方法】変更
【補正の内容】
【０００５】
【課題を解決するための手段】
上記目的を達成するために、本発明の画像形成装置は、画像データを可視像化して、当該可視像化した画像データを転写材上に形成する画像形成手段と、前記画像データが形成された転写材に対して製本処理を施すために、綴じ処理、折り処理、ソート処理の少なくとも１つを含む後処理を実行する後処理手段と、前記後処理手段により製本処理が施された転写材の束に対して断裁処理を行うトリマーとを備える画像形成装置において、前記画像形成手段は、前記トリマーによる断裁処理を実行するときに、該断裁処理が施される被処理部分を含む非画像形成領域と該非画像形成領域を除く有効画像形成領域とを転写材毎に設定し、この転写材の有効画像形成領域に前記画像データを形成する手段を有することを特徴とする。
【手続補正４】
【補正対象書類名】明細書
【補正対象項目名】０００６
【補正方法】変更
【補正の内容】
【０００６】
本発明の画像形成装置は、画像を記録媒体上に形成する画像形成装置において、画像が形成された記録媒体の束に対して中綴じ処理を施した後、前記中綴じ処理が施された前記記録媒体の束に対して断裁処理を行う後処理手段と、前記後処理手段により前記中綴じ処理と前記断裁処理が実行される記録媒体上の画像形成領域の位置を各記録媒体毎に制御する制御手段とを備えたことを特徴とする。
【手続補正５】
【補正対象書類名】明細書
【補正対象項目名】０００７
【補正方法】変更
【補正の内容】
【０００７】
本発明の画像形成方法は、画像データを可視像化して、当該可視像化した画像データを転写材上に形成する画像形成工程と、前記画像データが形成された転写材に対して製本処理を施すために、綴じ処理、折り処理、ソート処理の少なくとも１つを含む後処理を実行する後処理工程と、前記後処理工程により製本処理が施された転写材の束に対して断裁処理を行うトリマーとを備える画像形成方法において、前記画像形成工程は、前記トリマーによる断裁処理を実行するときに、該断裁処理が施される被処理部分を含む非画像形成領域と該非画像形成領域を除く有効画像形成領域とを転写材毎に設定し、この転写材の有効画像形成領域に前記画像データを形成する工程を有することを特徴とする。
【手続補正６】
【補正対象書類名】明細書
【補正対象項目名】０００８
【補正方法】変更
【補正の内容】
【０００８】
本発明の画像形成方法は、記録媒体上に形成するためのページ画像を生成する画像形成方法において、画像が形成された記録媒体の束に対して中綴じ処理を施した後、前記中綴じ処理が施された前記記録媒体の束に対して断裁処理を行うべく指示する後処理指示工程と、前記後処理指示工程により前記後処理手段により前記中綴じ処理と前記断裁処理が実行されるよう指示された場合に、各ページの画像に挿入する余白量を各ページ画像毎に制御する制御工程とを備えることを特徴とする。
【手続補正７】
【補正対象書類名】明細書
【補正対象項目名】０００９
【補正方法】変更
【補正の内容】
【０００９】
本発明のコンピュータプログラムは、記録媒体上に形成するためのページ画像を生成するためのコンピュータプログラムにおいて、画像が形成された記録媒体の束に中綴じ処理を施した前記中綴じ処理が施された前記記録媒体の束に対して断裁処理を行うべく指示する後処理指示工程と、前記後処理指示工程により前記後処理手段により前記中綴じ処理と前記断裁処理が実行されるよう指示された場合に各ページ画像に挿入する余白量を各ページごとに制御する制御工程とを備えることを特徴とする。
【手続補正８】
【補正対象書類名】明細書
【補正対象項目名】００１０
【補正方法】変更
【補正の内容】
【００１０】
本発明の記憶媒体は、請求項１９記載のコンピュータプログラムを記憶したことを特徴とする。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】